(57)【要約】  【課題】犬猫その他のペットなどの四つ足動物の洗浄と拭き取り乾燥を同一の手段で兼用して装置全体を簡素化でき、しかも洗浄する動物に苦痛や不安感を与えることのない、飼い主にとっても安心できる、動物の洗浄装置並びに洗浄方法を実現する。  【解決手段】筒体の外面に放射状のブラシを有し、かつ該筒体中から散水する小孔を多数開けた回転ブラシで動物を洗浄するため、動物の体表を散水で濡らしながら回転ブラシで洗浄できるので、こびりついた汚れや体毛の内部の汚れでも確実に洗浄できる。そして、回転ブラシで洗浄した後に、吸水手段と多数の温風吹き出し孔を開けた回転筒を回転させるため、吸水手段によって洗浄水を拭き取ることができ、同時に又は拭き取り後に多数の温風吹き出し孔から温風を吹き出すので、回転筒を回転させて拭き取りと乾燥を同じ装置で行なうことができる。【選択図】図２
2008237154.tif 000002
【特許請求の範囲】
【請求項１】
筒体の外面に放射状のブラシを有し、かつ該筒体中から散水する小孔が多数開いた回転ブラシで動物の胴体を洗浄した後、吸水手段と多数の吹き出し孔を有する回転筒を回転させて、拭き取りと乾燥を行なうことを特徴とする動物の洗浄乾燥方法。
【請求項２】
洗浄される動物の首の位置に開閉式の仕切り壁を設けて、頭部が前記の胴体洗浄時の水で濡れないようにすることを特徴とする請求項１に記載の動物の洗浄乾燥方法。
【請求項３】
洗浄室内に可動床を設けて、該可動床に動物を載せた状態で洗浄室内に移動することによって、洗浄される動物を洗浄室の中に収納することを特徴とする請求項１または請求項２に記載の動物の洗浄乾燥方法。
【請求項４】
筒体の外面に放射状のブラシが有り、かつ該筒体中から散水する小孔が多数開いた回転ブラシを有し、動物の洗浄後に該回転ブラシを取り外して、代わりに装着する拭き取りローラは、回転筒体の外面に吸水手段を有し、該回転筒体の中から温風を吹き出すための吹き出し孔を多数開けてあることを特徴とする動物の洗浄乾燥装置。
【請求項５】
前記の回転ブラシ並びに拭き取りローラが長さ方向の伸縮構造になっていることを特徴とする請求項４に記載の動物の洗浄乾燥装置。
【請求項６】
洗浄される動物の首の位置に開閉式の仕切り壁を設けてあり、この仕切り壁より前側の天井部には、噴霧手段を設けてあることを特徴とする請求項４または請求項５に記載の動物の洗浄乾燥装置。
【請求項７】
前記の仕切り壁より後側の天井部には、回転ブラシによる洗浄後に仕上げ洗浄水を散水するためのシャワー手段を設けてあることを特徴とする請求項４、請求項５または請求項６に記載の動物の洗浄乾燥装置。
【請求項８】
洗浄される動物を載せた状態で洗浄室内に移動する可動床が、車輪又はローラなどの滑動手段によって円滑移動可能となっていることを特徴とする請求項４から請求項７までのいずれかの項に記載の動物の洗浄乾燥装置。
【請求項９】
前記の各回転ブラシに給水する給水管で洗浄室の骨組みを構成すると共に、水平方向並びに鉛直方向の給水管をそれぞれ３本以上に分割可能とし、中間管の有無によって、洗浄室を被洗浄動物の大きさに応じたサイズにしたり、保管や運搬時に小型化可能としたことを特徴とする請求項４から請求項８までのいずれかの項に記載の動物の洗浄乾燥装置。
【発明の詳細な説明】
【技術分野】
【０００１】
本発明は、犬猫その他のペットなどの四つ足動物の洗浄装置並びに洗浄方法に関する。
【背景技術】
【０００２】
温水や洗剤を噴射する洗浄ノズルと、送風機構からの温風を排出する送風ノズルとを収納ボックスの内部に設けた動物洗浄装置が特開平７−274758号において提案されている。洗浄される動物は、開閉式のボックスに収納されるが、特開2004−298117号に記載されているように、洗浄される動物の首部並びに胴部を保持する吊り下げ手段を用いる方法も提案されている。一方、シャワーヘッド本体の表側に、外部に突出するブラシ歯を持つブラシ部が配置され、その中央に吐水口を設けたペット用シャワーヘッドが特開2006−246788号において提案されている。或いは、実用新案登録第3101305 号に記載のように、吐水口として、小径孔を複数開口される構成も提案されている。回転ブラシを用いる自動ブラッシング装置も特開2000−300103号において提案されている。
【特許文献１】特開平７−274758号
【特許文献２】特開2004−298117号
【特許文献３】特開2006−246788号
【特許文献４】実用新案登録第3101305 号
【特許文献５】特開2000−300103号
【発明の開示】
【発明が解決しようとする課題】
【０００３】
しかしながら、特許文献１のような洗浄ノズルによる噴水力だけでは充分に洗浄できず、こびりついた異物や体毛の内側に隠れた汚れなどを洗浄除去することが困難である。これに対し、特許文献４、特許文献５のように、ブラシを併用すると、確実に洗浄できるが、洗浄専用であるため、拭き取りや乾燥ができない。また、洗浄作業中の動物を吊り下げる方法では、該動物に苦痛や不安感を与えるという問題がある。本発明の技術的課題は、このような問題に着目し、動物の洗浄と拭き取り乾燥を同一の手段で兼用して装置全体を簡素化でき、しかも洗浄する動物に苦痛や不安感を与えることのない、飼い主にとっても安心できる、動物の洗浄装置並びに洗浄方法を実現することにある。
【課題を解決するための手段】
【０００４】
本発明の技術的課題は次のような手段によって解決される。請求項１は、筒体の外面に放射状のブラシを有し、かつ該筒体中から散水する小孔を多数開けた回転ブラシで動物の胴体を洗浄した後、吸水手段と多数の温風吹き出し孔を開けた回転筒を回転させて、拭き取りと乾燥を行なうことを特徴とする動物の洗浄乾燥方法である。このように、筒体の外面に放射状のブラシを有し、かつ該筒体中から散水する小孔を多数開けた回転ブラシで動物を洗浄するため、動物の体表を散水で濡らしながら回転ブラシで洗浄できるので、こびりついた汚れや体毛の内部の汚れでも確実に洗浄できる。そして、回転ブラシで洗浄した後に、吸水手段と多数の温風吹き出し孔を開けた回転筒を回転させるため、吸水手段によって洗浄水を拭き取ることができ、同時に又は拭き取り後に多数の温風吹き出し孔から温風を吹き出すので、回転筒を回転させて拭き取りと乾燥を同じ装置で行なうことができる。
【０００５】
請求項２は、洗浄される動物の首の位置に開閉式の仕切り壁を設けて、頭部が前記の胴体洗浄時の水で濡れないようにすることを特徴とする請求項１に記載の動物の洗浄乾燥方法である。このように、洗浄される動物の首の位置に開閉式の仕切り壁を設けて、頭部が胴体洗浄水で濡れないようにしているので、洗浄水が飛散して頭部がずぶ濡れになったり目に入ったり汚れたりするのを防止できる。
【０００６】
請求項３は、洗浄室内に可動床を設けて、該可動床に動物を載せた状態で洗浄室内に移動することによって、洗浄される動物を洗浄室の中に収納することを特徴とする請求項１または請求項２に記載の動物の洗浄乾燥方法である。ペットなどの動物は、洗浄室に入りたがらないが、請求項３のように、洗浄室内に可動床を設けて、該可動床に動物を載せた状態で洗浄室内に搬送することによって、洗浄される動物を洗浄室の中に容易に収納することができるので、動物が不安感を感じたりすることなく、スムーズに洗浄室内に導入でき、以後の洗浄作業も円滑に進行できる。
【０００７】
請求項４は、筒体の外面に放射状のブラシが有り、かつ該筒体中から散水する小孔を多数開けた回転ブラシを有し、動物の洗浄後に該回転ブラシを取り外して、代わりに装着する拭き取りローラは、回転筒体の外面に吸水手段を有し、かつ回転筒体の中から温風を吹き出すための吹き出し孔を多数開けてあることを特徴とする動物の洗浄乾燥装置である。このように、筒体の外面に放射状のブラシが有り、かつ該筒体中から散水する小孔が多数開いている回転ブラシを有しているので、散水で常時洗い流しながら、こびりついた汚れや、体毛の中の汚れを回転ブラシで確実に洗浄できる。こうして洗浄した後は、該回転ブラシを取り外して、拭き取りローラを装着すると、回転筒体の外面の吸水手段で洗浄水を拭き取ることができる。次いで、該回転筒体の中から温風や常温風を吹き出して、温風や常温風で乾燥して仕上げる。
【０００８】
請求項５は、前記の回転ブラシ並びに拭き取りローラが長さ方向の伸縮構造になっていることを特徴とする請求項４に記載の動物の洗浄乾燥装置である。このように、前記の回転ブラシや拭き取りローラが長さ方向の伸縮構造になっているため、洗浄される動物の体格や体形に応じて、回転ブラシや拭き取りローラを伸縮してサイズや位置を調節できるので、各サイズや体形毎に多数の回転ブラシや拭き取りローラを用意しておく必要がなく、また交換の手間も省ける。
【０００９】
請求項６は、洗浄される動物の首の位置に開閉式の仕切り壁を設けてあり、この仕切り壁より前側の天井部には、噴霧手段を設けてあることを特徴とする請求項４または請求項５に記載の動物の洗浄乾燥装置である。このように、洗浄される動物の首の位置に開閉式の仕切り壁を設けてあるので、動物の頭が胴体洗浄水でずぶ濡れになったり、目に入ったり、汚れたりすることはない。また、仕切り壁より前側の天井部には、噴霧手段を設けてあるので、頭部は、回転ブラシを使用せず、噴霧によってソフトに洗浄できる。その結果、動物に不快感や恐怖心を与えないですむ。
【００１０】
請求項７は、前記の仕切り壁より後側の天井部には、回転ブラシによる洗浄後に仕上げ洗浄水を散水するためのシャワー手段を設けてあることを特徴とする請求項４、請求項５または請求項６に記載の動物の洗浄乾燥装置である。このように、前記の仕切り壁より後側の天井部には、回転ブラシによる洗浄後に仕上げ洗浄水を散水するためのシャワー手段を設けてあるので、回転ブラシで洗浄した後は、シャワー手段で洗浄水を散水することによって、回転ブラシ洗浄の際の汚れた洗浄水や汚れを確実に洗い流して、仕上げることができる。
【００１１】
請求項８は、洗浄される動物を載せた状態で洗浄室内に移動する可動床が、車輪又はローラなどの滑動手段によって円滑移動可能となっていることを特徴とする請求項４から請求項７までのいずれかの項に記載の動物の洗浄乾燥装置である。このように、洗浄される動物を載せた状態で洗浄室内に移動する可動床が、車輪やローラなどの滑動手段によって円滑移動可能となっているため、洗浄する動物を可動床に載せた状態で、可動床を洗浄室に移動するだけで、円滑に洗浄の準備ができ、嫌がる動物に恐怖心や不安感を与えることなしに、スムーズに洗浄室に収納できる。したがって、その後の回転ブラシのセッティングや洗浄作業が円滑に進行できる。
【００１２】
請求項９は、前記の各回転ブラシに給水する給水管で洗浄室の骨組みを構成すると共に、水平方向並びに鉛直方向の給水管をそれぞれ３本以上に分割可能とし、中間管の有無によって、洗浄室を被洗浄動物の大きさに応じたサイズにしたり、保管や運搬時に小型化可能としたことを特徴とする請求項４から請求項８までのいずれかの項に記載の動物の洗浄乾燥装置である。このように、前記の各回転ブラシに給水する給水管で洗浄室の骨組みを構成しているので、洗浄室の骨組みと給水管を兼用でき、洗浄室の構成が簡素化される。また、水平方向並びに鉛直方向の給水管をそれぞれ３本以上に分割可能なため、中間管を取り外すと、洗浄室を小型化できるので、中間管の有無によって、洗浄室を被洗浄動物の大きさに応じたサイズにできる。或いは、中間管を取り外せば、保管や運搬時に小型化することも可能となる。
【発明の効果】
【００１３】
請求項１のように、筒体の外面に放射状のブラシを有し、かつ該筒体中から散水する小孔を多数開けた回転ブラシで動物を洗浄するため、動物の体表を散水で濡らしながら回転ブラシで洗浄できるので、こびりついた汚れや体毛の内部の汚れでも確実に洗浄できる。こうして、回転ブラシで洗浄した後に、吸水手段と多数の吹き出し孔を開けた回転筒を回転させるため、吸水手段によって洗浄水を拭き取ることができ、同時に又は拭き取り後に多数の吹き出し孔から温風を吹き出すので、回転筒を回転させて拭き取りと乾燥を同じ装置で行なうことができる。
【００１４】
請求項２のように、洗浄される動物の首の位置に開閉式の仕切り壁を設けて、頭部が胴体洗浄水で濡れないようにしているので、洗浄水が飛散して頭部がずぶ濡れになったり目に入ったり汚れたりするのを防止できる。
【００１５】
ペットなどの動物は洗浄室に入りたがらないが、請求項３のように、洗浄室内に可動床を設けて、該可動床に動物を載せた状態で洗浄室内に搬送することで、洗浄される動物を洗浄室の中に容易に収納することができ、動物が不安感を感じたりすることなく、スムーズに洗浄室内に導入でき、以後の洗浄作業も円滑に進行できる。
【００１６】
請求項４のように、筒体の外面に放射状のブラシが有り、かつ該筒体中から散水する小孔が多数開いている回転ブラシを有しているので、散水で常時洗い流しながら、こびりついた汚れや、体毛の中の汚れを回転ブラシで確実に洗浄できる。こうして洗浄した後は、該回転ブラシを取り外して、拭き取りローラを装着すると、回転筒体の外面の吸水手段で洗浄水を拭き取ることができる。次いで、該回転筒体の中から温風や常温風を吹き出して、温風や常温風で乾燥して仕上げる。
【００１７】
請求項５のように、前記の回転ブラシや拭き取りローラが長さ方向の伸縮構造になっているため、洗浄される動物の体格や体形に応じて、回転ブラシや拭き取りローラを伸縮してサイズや位置を調節できるので、各サイズや体形毎に多数の回転ブラシや拭き取りローラを用意しておく必要がなく、また交換の手間も省ける。
【００１８】
請求項６のように、洗浄される動物の首の位置に開閉式の仕切り壁を設けてあるので、動物の頭が胴体洗浄水でずぶ濡れになったり、目に入ったり、汚れたりすることはない。また、仕切り壁より前側の天井部には、噴霧手段を設けてあるので、頭部は、回転ブラシを使用せず、噴霧によってソフトに洗浄できる。その結果、動物に不快感や恐怖心を与えないですむ。
【００１９】
請求項７のように、前記の仕切り壁より後側の天井部には、回転ブラシによる洗浄後に仕上げ洗浄水を散水するためのシャワー手段を設けてあるので、回転ブラシで洗浄した後は、シャワー手段で洗浄水を散水することによって、回転ブラシ洗浄の際の汚れた洗浄水や汚れを確実に洗い流して、仕上げることができる。
【００２０】
請求項８のように、洗浄される動物を載せた状態で洗浄室内に移動する可動床が、車輪やローラなどの滑動手段によって円滑移動可能となっているため、洗浄する動物を可動床に載せた状態で、可動床を洗浄室に移動するだけで、円滑に洗浄の準備ができ、嫌がる動物に恐怖心や不安感を与えることなしに、スムーズに洗浄室に収納できる。したがって、その後の回転ブラシのセッティングや洗浄作業が円滑に進行できる。
【００２１】
請求項９のように、前記の各回転ブラシに給水する給水管で洗浄室の骨組みを構成しているので、洗浄室の骨組みと給水管を兼用でき、洗浄室の構成が簡素化される。また、水平方向並びに鉛直方向の給水管をそれぞれ３本以上に分割可能なため、中間管を取り外すと、洗浄室を小型化できるので、中間管の有無によって、洗浄室を被洗浄動物の大きさに応じたサイズにできる。或いは、中間管を取り外せば、保管や運搬時に小型化することも可能となる。
【発明を実施するための最良の形態】
【００２２】
次に本発明による動物の洗浄装置並びに洗浄方法が実際上どのように具体化されるか実施形態を説明する。図１は本発明による動物洗浄装置の側面図で、動物ａを可動床に乗せた状態で洗浄室Ｒに収納する構造になっている。図２は、図１の動物洗浄装置の全容を示す斜視図である。この動物洗浄装置を構成する支柱管１〜４が四隅に立っており、左側の支柱管２・３間に連結してある水平管５に右側の側面回転ブラシＢ１…を取付け支持してあり、右側の支柱管１・４間に連結してある水平管６に右側の側面回転ブラシＢ２…を取付け支持してある。
【００２３】
また、手前の支柱管２・１の上端間に連結した水平管７と、後方の支柱管３・４の上端間に連結した水平管８との間には、天井部水平管９を連結して、上面回転ブラシＢ３…を水平に取付け支持してある。手前の支柱管２・１の下端間に連結した水平管１０と、後方の支柱管３・４の下端間に連結した水平管１１との間には、床部水平管１２を連結して、下面回転ブラシＢ４…を水平に取付け支持してある。このように、各回転ブラシＢ１…Ｂ４を取付け支持している各水平管５、６、９、１２は、両端又は一端が前記の支柱管１…４を介して、水道の蛇口に配管接続されているので、これらの各水平管５、６、９、１２と支柱管１…４を介して、各回転ブラシＢ１…Ｂ４に給水され、回転ブラシＢ１…Ｂ４の散水孔から動物の体面に散水される。
【００２４】
図１の動物ａを乗せる可動床１３は、手前に取っ手１４が有り、手前下面に車輪１５が付いている。後方下面にも、同様な車輪１６を取付けてもよいが、図示例では、左側の支柱管２・３の下部間に渡してある支持管１７と、右側の支柱管１・４の下部間に渡してある支持管１８との間に、多数の水平ローラ１９…を取付け支持してある。したがって、これらの水平ローラ１９…の上に可動床１３を載置した状態で、取っ手１４を押したり、引いたりすることで、可動床１３上に乗せた動物ａを洗浄室Ｒ中に搬入したり、搬出できる。以上の各支柱管１〜４や水平管５〜８などから成る骨組みの外側にビニールシートなどのカバーＣを被せて、洗浄水が外部に飛散しないように、洗浄室を区画してある。
【００２５】
図３は回転ブラシＢ１…Ｂ４の構造とその取付け構造を示す平面図で、側面に多数の散水孔ｈ…の開いた回転筒２０の外面に無数のブラシが放射状に取付けてある。この回転筒２０の両端は、Ｃ字状の伸縮式ホルダー管２１の両端に連結保持され、中間のＴ管２１ｃは、伸縮構造の支持管２２を介して、前記の各水平管５・６・９・１２に取付け保持されている。各水平管５・６・９・１２を介して給水された洗浄水が、支持管２２→Ｃ字状ホルダー管２１→回転筒２０の順に流れ、無数の散水孔ｈ…から流出して、動物ａの体面に散水される。
【００２６】
回転筒２０は、外径の異なる伸縮管２０ａ、２０ｂ、２０ｃ、２０ｄ、２０ｅを伸縮式に連結してなり、ホルダー管２１も、外径の異なる伸縮管２１ａ、２１ｂ、２１ｃ、２１ｄ、２１ｅを伸縮式に連結した構造である。各水平管５・６・９・１２に連結される支持管２２は、外径の異なる伸縮管２２ａ、２２ｂ、Ｔ管２１ｃの順に伸縮式に連結されている。
【００２７】
図４は、図２の装置の縦断面図で、各回転ブラシＢ１…Ｂ４は、伸縮構造の支持管２２を介して、前記の各水平管５・６・９・１２に取付け支持されているので、可動床１３上の動物ａの大きさや体形に応じて、支持管２２を矢印ａ４方向に伸縮させることで、各回転ブラシＢ１…Ｂ４が洗浄する動物ａの体面に適当な圧力で接するように調節する。そして、図５のように、側面回転ブラシＢ１、Ｂ２で動物ａの左右の側面を洗浄し、上面回転ブラシＢ３で動物ａの上面すなわち背中側を洗浄し、下面回転ブラシＢ４で下面すなわち腹部を洗浄する。
【００２８】
図６は装置の側面図で、図４の上面回転ブラシＢ３と下面回転ブラシＢ４…が、支持管２２の伸縮機能によって、矢印ａ６、ａ７のように、上下方向に伸縮させて、動物ａの体形や体格などに応じて調節する。また、図７は装置の平面図で、図４の左右の側面回転ブラシＢ１、Ｂ２…が、支持管２２の伸縮機能によって、矢印ａ８、ａ９のように、動物ａの左右の胴体側面に向かって前後方向に伸縮して、動物ａの体形や体格などに応じて調節する。伸縮式の支持管２２は、圧縮コイルスプリングなどで回転ブラシＢ１…Ｂ４を押し出す構造とし、動物ａの身体表面の凹凸に応じて自動的に前進・後退する構造でもよいし、動物ａの身体表面の凹凸に応じて回転ブラシＢ１…Ｂ４を前進させたり、後退させることも可能である。
【００２９】
各回転ブラシＢ１…Ｂ４は、それぞれの水平管５・６・９・１２ごとに５個ずつ取付けてあるが、取付け個数は任意である。ただし、各水平管５・６・９・１２への取付け個数が多いと、動物の体形や体格にフィットして、より効果的に洗浄や拭き取り乾燥できる。このときでも、隣接する回転ブラシＢ１…間、Ｂ２…間、Ｂ３…間、Ｂ４…間の回転ブラシの存在領域しか洗浄、拭き取り、乾燥できないので、回転ブラシ間隔Ｇの領域分だけは、可動床１３を矢印ａ５方向に前後動させながら、洗浄したり、拭き取り乾燥する必要がある。
【００３０】
したがって、回転ブラシＢ１…Ｂ４の、各水平管５・６・９・１２への取付け個数が少なくなると、回転ブラシ間隔Ｇが増大するので、矢印ａ５方向の可動床移動量が長くなる。各水平管５・６・９・１２ごとに、回転ブラシＢ１…Ｂ４を１個だけ設けることも可能であり、この場合は、動物ａの前端から後端まで回転ブラシＢ１…Ｂ４を移動させる必要がある。したがって、可動床１３の矢印ａ５方向の移動量に応じて、洗浄室Ｒの前後方向の寸法を増大する必要がある。なお、洗浄や拭き取り乾燥時に可動床を移動させるのではなく、動物ａは一定位置とし、回転ブラシＢ１…Ｂ４が動物ａに対し矢印ａ５方向に移動しながら、洗浄や拭き取り乾燥する構造も可能である。このように、相対的に動物ａと回転ブラシＢ１…Ｂ４を矢印ａ５方向に移動させる際に、動物ａの身体表面の凹凸に応じて、回転ブラシＢ１…Ｂ４が前進、後退することは前記のとおりである。
【００３１】
洗浄水や乾燥風の供給のために、図４のように、互いに連結された各水平管５・６・９・１２や鉛直管１、２、３、４などは、給水管ｉ１で水道の蛇口に接続されているので、蛇口を開くことによって、各水平管５・６・９・１２や鉛直管１、２、３、４を介して、各回転ブラシＢ１…Ｂ４に給水され、散水される。動物ａの体面を回転ブラシＢ１…Ｂ４で散水しながらブラシの回転で洗浄した後は、体面の洗浄水の拭き取りと乾燥が行われる。乾燥に際しては、蛇口を閉じて、回転ブラシＢ１…Ｂ４への給水を止めてから、別の送風管ｉ２から、動物ａの体面に温風ないし常温風を送って、乾燥する。
【００３２】
そのために、洗浄用の回転ブラシＢ１…Ｂ４は、拭き取りローラに付け替える。拭き取りローラは、図３の回転ブラシにおいて、放射状のブラシに代えて、ペーパータオルや吸水パッド、スポンジなどのような吸水手段で包んだ構造になっており、散水孔ｈ…と同様な孔が無数に開いていて、乾燥用の風が吹き出す。したがって、回転ブラシＢ１…Ｂ４で洗浄した後は、回転ブラシＢ１…Ｂ４を取り外して拭き取りローラと交換し、給水管ｉ１側を閉めて、送風管ｉ２を開けると、ファンヒータから温風ないし常温風が流れ込んで、各水平管５・６・９・１２や鉛直管１、２、３、４→伸縮構造の支持管２２→各拭き取りローラの順に送風され、各吹き出し孔ｈから動物ａの体面に吹き出して、濡れている体面を乾燥させる。
【００３３】
このとき、拭き取りローラの外面の吸水手段で、動物ａに残っている洗浄水を吸い取ると共に各吹き出し孔ｈから吹き出した風で乾燥するので、効果的に迅速に乾燥できる。以上のように、回転ブラシＢ１…Ｂ４や拭き取りローラが回転して、洗浄したり、拭き取ったり、送風回転するために、回転駆動用のモータを用いるが、図示を省略してある。
【００３４】
図５のように、洗浄室Ｒ内において、洗浄される動物ａの首の位置に開閉式の仕切り壁２３を設けて、頭部２４が胴体洗浄水でずぶ濡れにならないようにし、頭部専用の散霧装置２５を設けてある。図８は仕切り壁２３の各種実施形態であり、（１）は仕切り壁２３をチャック２６で開けて、動物ａの頭部２４を仕切り壁２３の前側に突き出す構造になっている。（２）は仕切り壁２３の開閉構造がボタン２７になっている。
【００３５】
図９のように、チャックやボタンによる開閉部に、動物ａの首を固定する静止手段２８を設けることもできる。この例では、下向きのＵ字状体２９と上向きのＵ字状体３０を相対的に上下動可能に設けて、図５のように、間に動物の首部を上下から挟むようにすることで、動物ａが自由に動き回るのを防いでいる。このとき、動物の首が締まらないように、首とＵ字状体２９、３０との間に多少の余裕を設けておくことは言うまでもない。実線や鎖線のように、Ｕ字状体２９、３０の開閉度は自由に設定できる。図５、図６のように、前記の仕切り壁２３より後側の天井部にシャワー手段３１を設けて、回転ブラシＢ１…Ｂ４による洗浄後に仕上げ洗浄水を散水する。図２の前後の水平管７、８の上に立てたアーチ３２、３３の間に渡した棟水平管３４に、前記のシャワー手段３１を取付けてある。そして、この棟水平管３４や各支柱管１〜４、前後方向の水平管５・６、幅方向の水平管７・８等から成る骨組みの外側に合成樹脂シートなどのカバーＣを被せることで、洗浄室Ｒを形成している。
【００３６】
図１、図６、図７に例示するように、各水平管５、６、９、１２やこれらと平行する他の水平管は３本以上に分割可能で、中間管５ｓ、６ｓ、９ｓ、１２ｓ、Ｓを取り外すことができる。取り外した状態では、その分だけ前後方向の寸法が縮小されるので、小型の動物を洗浄するのに適している。鉛直管１〜４も上下方向に３本以上に分割可能で、中間管１ｓ〜４ｓを取り外した状態では、その分だけ高さ方向の寸法が縮小されるので、背丈の低い動物を洗浄するのに適している。また、中間管５ｓ、６ｓ、９ｓ、１２ｓ、Ｓや１ｓ〜４ｓの長さを２種以上用意しておけば、中間管の取付け状態でも、その長さに応じて種々の洗浄室サイズが可能である。なお、水平並びに鉛直方向の中間管を取り外した状態とすることで、コンパクトな状態で保管したり、運搬したりすることも可能となる。左右の幅方向は、回転ブラシＢ１・Ｂ２の伸縮支持管２２を伸縮させることで対応するが、中間管Ｓを着脱する構造も可能である。水平管７、８、１０、１１の場合は、天井部水平管９側、床部水平管１２と支柱管１〜４側との間に中間管Ｓを介在させることになる。なお、多数の水平ローラ１９…は分割不可能なため、水平ローラ１９…は使用しないで、車輪１６を用いることになる。
【産業上の利用可能性】
【００３７】
以上のように、筒体の外面に放射状のブラシを有しかつ該筒体中から散水する小孔が多数開いた回転ブラシで動物を洗浄した後、吸水手段と多数の温風吹き出し孔を有する回転筒を回転させて、拭き取りと乾燥を行なうことによって、動物の洗浄と乾燥を同一の手段で兼用し、装置全体を簡素化できる。しかも、洗浄する動物に苦痛や不安感を与えることが無いので、飼い主にとっても安心できる。
【図面の簡単な説明】
【００３８】
【図１】本発明による動物洗浄装置の右側面図である。
【図２】図１の動物洗浄装置の全容を示す正方向から見た斜視図である。
【図３】回転ブラシの構成とその伸縮構造、取付け構造を示す平面図である。
【図４】図２の動物洗浄装置の正面方向から見た縦断面図である。
【図５】洗浄室における頭部仕切り装置を示す斜視図である。
【図６】図２の動物洗浄装置の右側面図である。
【図７】図２の動物洗浄装置の平面図である。
【図８】図５の仕切り壁の各種実施形態を示す斜視図である。
【図９】動物の静止手段を示す正面図である。
【符号の説明】
【００３９】
ａ  動物
Ｒ  洗浄室
１〜４  支柱管
５、６、９、１２  前後方向の水平管
７・８  幅方向の水平管
Ｓ・５ｓ・６ｓ・９ｓ・１２ｓ  中間管
Ｂ１…Ｂ４  回転ブラシ
９  天井部水平管
１０  下端水平管
３４  棟水平管
Ｃ  カバー
【図１】
2008237154.tif 000003
【図２】
2008237154.tif 000004
【図３】
2008237154.tif 000005
【図４】
2008237154.tif 000006
【図５】
2008237154.tif 000007
【図６】
2008237154.tif 000008
【図７】
2008237154.tif 000009
【図８】
2008237154.tif 000010
【図９】
2008237154.tif 000011